(57)【要約】【課題】エレベーター装置のエレベーター用かご内操作盤のスイッチボックスが乗りかごの床面に近い位置に設けられた場合でも、屈むなどして覗き込むことなく、操作したいスイッチを確認できるようにする。【解決手段】エレベーターの乗りかご内に設置され、乗降客用の操作ボタン部が設けられるとともに、操作ボタン部の下方に、スイッチ５を収納したスイッチボックス６が設けられるエレベーター用かご内操作盤において、スイッチボックス６は、スイッチボックス６を開閉するための、下端部が回動可能に支持されたスイッチボックスカバー８と、スイッチ５が配設されており、上端部が回動可能に支持されたスイッチプレート１２と、スイッチボックスカバー８が移動した際に、スイッチプレート１２に回動する力を加える移動機構１３とを備える。【選択図】図５
2014084186.tif 000002
【特許請求の範囲】
【請求項１】
乗りかごと、前記乗りかご内に設置された乗降客用の操作ボタン部と、前記操作ボタン部の下方に設けられたスイッチを収納したスイッチボックスと、前記スイッチボックスを開閉するために設けられた移動可能なスイッチボックスカバーと、を備えたエレベーター装置であって、
前記スイッチボックスに設けられた、前記スイッチを備えるとともに上端部が回動可能に支持されたスイッチプレートと、
前記スイッチボックスカバーを移動して前記スイッチボックスを開けた際に、前記スイッチプレートを上方に回動させる移動機構と、を備えた
エレベーター装置。
【請求項２】
前記移動機構は、前記スイッチプレートの下端部を前記スイッチボックスカバーに対してスライド可能な状態で連結し、前記スイッチボックスカバーが移動することに連動して前記スイッチプレートを回動させる
請求項１に記載のエレベーター装置。
【請求項３】
前記スイッチボックスの施錠／開錠を行うために前記スイッチボックスカバーに設けられた係止部材と、
前記スイッチボックスカバーを移動させて前記スイッチボックスを開いた際に、前記係止部材を係止するための係合部を前記スイッチプレートの下端部に設けた
請求項１記載のエレベーター装置。
【発明の詳細な説明】
【技術分野】
【０００１】
本発明は、乗りかご内に設置されるエレベーター用かご内操作盤を有するエレベーター装置に関する。
【背景技術】
【０００２】
エレベーターの乗りかご内に設置されるエレベーター用かご内操作盤には、乗降客用の操作ボタン部の下方に、保守作業員や管理人用のスイッチボックスが設けられている。このスイッチボックスには、下記に例示するような複数のスイッチが収納されている。
・保守作業用に階と階の途中の位置で停止するためのスイッチ
・病院での緊急搬送用等に、特定の階のみに直行し、他の階に停止する呼出しに応じないためのスイッチ
・テナントビル等で、空きフロア等の特定の階への停止を禁止するためのスイッチ
【０００３】
従来のエレベーター装置のエレベーター用かご内操作盤では、このスイッチボックスはスライド式のカバーによって開閉し、またスイッチは乗りかごの床面と略垂直な板面上に配設されていた（例えば、特許文献１参照）。
【先行技術文献】
【特許文献】
【０００４】
【特許文献１】特開平８−２８２９２８号公報
【発明の概要】
【発明が解決しようとする課題】
【０００５】
しかし、近年は、ビルの高層化により乗降客用の操作ボタン部のボタン数が増加して、操作ボタン部が縦に長いスペースを占めるようになっている。また、操作ボタン部には通常は最上部に非常時の緊急連絡用ボタンが配置されるが、背の低い乗降客でもこの緊急連絡用ボタンを操作できるようにする必要から、操作ボタン部の最上部をあまり高い位置にすることはできない。そのため、操作ボタン部の最下部の位置が低くなり、その下方のスイッチボックスが乗りかごの床面に近い位置に設けられる場合が多くなっている。また、エレベーター用かご内操作盤のデザインや顧客仕様によって、スイッチボックスが乗りかごの床面に近い位置に設けられる場合もある。
【０００６】
そうした場合、従来のエレベーター装置では、カバーをスライドさせてスイッチボックスを開けた際、床面に近い位置で床面と略垂直な板面上に配設されているスイッチが見づらいため、複数のスイッチのうちの操作したいスイッチを確認するために屈むなどして覗き込まなければならず、スイッチの操作性に問題があった。
【０００７】
本発明は、上述の点に鑑み、スイッチボックスが乗りかごの床面に近い位置に設けられた場合でも、屈むなどして覗き込むことなく、操作したいスイッチを確認することのできるエレベーター装置を提供することを目的とする。
【課題を解決するための手段】
【０００８】
上記課題を解決し、本発明の目的を達成するため、本発明のエレベーター装置は、乗りかごと、乗りかご内に設置された乗降客用の操作ボタン部と、操作ボタン部の下方に設けられたスイッチを収納したスイッチボックスと、スイッチボックスを開閉するために設けられた移動可能なスイッチボックスカバーと、スイッチを備えるとともに、スイッチボックスに設けられた上端部が回動可能に支持されたスイッチプレートと、スイッチボックスカバーを移動してスイッチボックスを開けた際に、スイッチプレートを上方に回動させる移動機構と、を備える。
【発明の効果】
【０００９】
本発明によれば、スイッチボックスが乗りかごの床面に近い位置に設けられた場合でも、スイッチを見やすくなるので、屈むなどして覗き込むことなく、操作したいスイッチを確認できるようになり、スイッチの操作性が向上する。
【図面の簡単な説明】
【００１０】
【図１】本発明の実施の形態に係るエレベーター装置が備えるエレベーター用かご内操作盤のスイッチボックスの構成を示す正面図である。
【図２】本発明の実施の形態に係るエレベーター装置が備えるエレベーター用かご内操作盤のスイッチボックスの構成を示す側面図である。
【図３】本発明の実施の形態に係るエレベーター装置が備えるエレベーター用かご内操作盤のスイッチボックスの構成を示す側面図である。
【図４】本発明の実施の形態に係るエレベーター装置が備えるエレベーター用かご内操作盤のスイッチボックスを開く途中の状態を示す側面図である。
【図５】本発明の実施の形態に係るエレベーター装置が備えるエレベーター用かご内操作盤のスイッチボックスを開いた状態を示す側面図である。
【図６】本発明の実施の形態に係るエレベーター用かご内操作盤のスイッチボックスのカバーロックを施錠した状態を示す正面図である。
【図７】本発明の実施の形態に係るエレベーター用かご内操作盤のスイッチボックスのカバーロックの開錠動作を示す正面図である。
【図８】本発明の実施の形態に係るエレベーター用かご内操作盤のスイッチボックスのカバーロックでスイッチプレートを保持した状態を示す正面図である。
【図９】本発明の実施の形態に係るエレベーター装置の全体構成を示す正面図である。
【図１０】本発明の変形例に係る移動機構の構成を示す側面図である。
【発明を実施するための形態】
【００１１】
以下、本発明の実施の形態について図面を参照して説明する。
図９は、本発明の実施の形態に係るエレベーター装置１００の全体構成を示す。エレベーターの乗りかご１のドア２の左側は前側板３で覆われており、ドア２の右側にエレベーター用かご内操作盤７が設置されている。エレベーター用かご内操作盤７には、最上部にかご位置表示器４が設けられ、かご位置表示器４の下方に乗降客用の操作ボタン部５が設けられ、操作ボタン部５の下方に保守作業員や管理人用のスイッチボックス６が設けられている。
【００１２】
操作ボタン部５には、最上部に非常時の緊急連絡用ボタン５ａが配置され、その下方に行先階ボタン５ｂが配置され、その下方にドア２の開閉ボタン５ｃが配置されている。ビルの高層化により行先階ボタン５ｂのボタン数が増加して操作ボタン部５が縦に長いスペースを占め、また緊急連絡用ボタン５ａが配置される操作ボタン部５の最上部をあまり高い位置にすることはできないことから、操作ボタン部５の最下部の位置が低くなっており、その下方のスイッチボックス６は乗りかごの床面に近い位置に設けられている。
【００１３】
図１〜図３はスイッチボックス６の構成を示しており、図１はスイッチボックス６が閉じた状態の正面図、図２，図３はスイッチボックス６が閉じた状態の側面図である。スイッチボックスカバー８は、スイッチボックス６を開閉するためのカバーである。スイッチボックスカバー８は、その下端部がヒンジ１５を介してエレベーター用かご内操作盤７の操作盤カバー７ａに回動可能に支持されている。
【００１４】
スイッチボックスカバー８の上端部には、スイッチボックス６に対して施錠／開錠を行うためのカバーロック９が固定して取り付けられている。カバーロック９には、ラッチ９ａが設けられるとともに、その反対側にフック９ｂが設けられている。操作盤カバー７ａには、カバーロック９のラッチ９ａを係止して施錠状態を保持するラッチ受け１０が固定して取り付けられている。なお、図２では図１のうちのスイッチボックスカバー８に関連する部分のみを示し、図３では図１のうちのカバーロック９の部分を省略して示している。
【００１５】
スイッチボックスカバー８の奥手方向（図３の右方向）には、下記に例示するような複数のスイッチ１１ａを配設したスイッチプレート１２が設けられている。
・保守作業用に階と階の途中の位置で停止するためのスイッチ
・特定の階のみに直行し、他の階に停止する呼出しに応じないためのスイッチ
・特定の階への停止を禁止するためのスイッチ
【００１６】
このスイッチプレート１２は、スイッチ１１ａの部分を露出させる開口部を有する板状の部材を、スイッチ１１ａを実装したスイッチ基板１１の表側に固定して取り付けたものである。スイッチ基板１１には、スイッチ１１ａの他に、スイッチ１１ａの操作内容を示す信号を外部に出力するためのコネクタ１１ｂが上端部に実装されている。コネクタ１１ｂの上側には、エレベーターを制御する制御装置とコネクタ１１ｂとを結ぶ配線１１ｃが接続されている。この配線１１ｃは、スイッチ基板１１の裏側を通ってスイッチボックス６の外部に延びている。
【００１７】
スイッチプレート１２は、その上端部がヒンジ１４を介してラッチ受け１０に回動可能に支持されている。スイッチプレート１２の下端部には、横方向に延びた細長いスライド軸１２ａが設けられている。スイッチプレート１２のうちスライド軸１２ａの上側の部分には、カバーロック９の係止部材としてのフック９ｂを係止するための係合部としてのロック穴１２ｂが設けられている。
【００１８】
スイッチボックスカバー８の裏面には、スイッチボックスカバー８の上下方向に沿って、細長い板状の部材であるスライドプレート１３が固定して取り付けられている。スライドプレート１３には、その長手方向に沿って細長い穴であるガイド１３ａが設けられている。ガイド１３ａには、スイッチプレート１２のスライド軸１２ａがスライド可能に挿通されている。このスライドプレート１３は、スイッチプレート１２の下端部をスイッチボックスカバー８に対して上下方向にスライド可能な状態で連結することにより、スイッチボックスカバー８が回動することに連動してスイッチプレート１２を回動させる。すなわち、スライドプレート１３は、スイッチボックスカバー８が回動して移動した際に、スイッチプレート１２に回動する力を加える移動機構としての役割を果たす。
【００１９】
図４は、スイッチボックス６を開く途中の状態を示し、図５は、スイッチボックス６を開いた状態を示す。スイッチボックス６を開けるために、カバーロック９を開錠し、スイッチボックスカバー８を回動させて手前方向（乗りかご１内に向けた方向）に傾倒させると、それに連動してスイッチプレート１２のスライド軸１２ａがスライドプレート１３のガイド１３ａ内を上方向にスライドすることにより、スイッチプレート１２が回動してその下端部がせり上がる。なお、スイッチプレート１２のせり上がる角度は、ガイド１３ａの長さを変更することによって調整可能となる。
【００２０】
図６は、カバーロック９を施錠した状態を示し、図７は、カバーロック９の開錠動作を示す。ラッチ９ａの反対側に設けられたフック９ｂは、カバーロック９の施錠／開錠動作と連動して回動する。図８は、図５のようにスイッチプレート１２の下端部がせり上がったときに、カバーロック９を施錠状態にした様子を示す。このとき、フック９ｂがスイッチプレート１２のロック穴１２ｂに係止されることにより、スイッチプレート１２のせり上がった状態が保持される。
【００２１】
スイッチボックス６を閉める際は、カバーロック９を再び開錠状態にして、スイッチボックスカバー８を押し上げるだけで、図３のようなスイッチボックス６が閉じた状態に戻る。
【００２２】
この実施の形態に係るエレベーター装置によれば、スイッチボックスカバー８を回動させてスイッチボックス６を開けると、それに連動して、スイッチ１１ａを配設したスイッチプレート１２が回動してその下端部がせり上がる。これにより、図９に示したようにスイッチボックス６が乗りかご１の床面に近い位置に設けられていても、スイッチ１１ａが見やすくなるので、屈むなどして覗き込むことなく、複数のスイッチ１１ａのうちの操作したいスイッチを確認できるようになり、スイッチ１１ａの操作性が向上する。
【００２３】
また、スイッチプレート１２の下端部がせり上がった状態でカバーロック９を施錠状態にすると、フック９ｂがロック穴１２ｂに係止されることにより、スイッチプレート１２のせり上がった状態が保持される。これにより、スイッチ１１ａを押した際にスイッチプレート１２の下端部が下がってしまうことや、スイッチプレート１２の自重でスイッチプレート１２の下端部が下がってしまうことを防止できる。
【００２４】
また、乗りかご１の外部からの配線１１ｃはスイッチ基板１１の上端部側に接続されているので、スイッチプレート１２の下端部がせり上がる際に配線１１ｃがスイッチボックスカバー８の下端部やヒンジ１５と干渉することがなく、配線１１ｃの挟み込みを防止することができる。
【００２５】
また、スイッチプレート１２に回動する力を加える移動機構であるスライドプレート１３は、スイッチ基板１１の裏側ではなく、スイッチボックスカバー８とスイッチプレート１２との間に設けられているので、スイッチ基板１１の裏側を通っている配線１１ｃとの干渉を防止することができる。
【００２６】
〔変形例〕
以上、本発明の実施の形態について説明した。しかし、本発明は、上述の実施の形態に限定されるものではなく、特許請求の範囲に記載した発明の要旨を逸脱しない範囲内で種々の変形実施が可能である。
【００２７】
例えば、上述の実施の形態では、スイッチプレート１２に回動する力を加える移動機構として、スイッチボックスカバー８が回動することに連動して（すなわちスイッチボックスカバー８が回動する力そのものによって）スイッチプレート１２を回動させるスライドプレート１３を設けた例を説明した。しかし、これに限らず、例えば図１０にスイッチプレート１２に関連する部分のみを示すように、スイッチプレート１２に回動する力を加える移動機構として、スイッチプレート１２をその下端部がせり上がる方向に付勢する圧縮バネ２０等の弾性部材を設け、スイッチボックスカバー８が回動した際に、その弾性部材の付勢力によってスイッチプレート１２を回動させるようにしてもよい。
【符号の説明】
【００２８】
１…乗りかご、  ２…ドア、  ３…前側板、  ４…かご位置表示器、  ５…操作ボタン部、  ６…スイッチボックス、  ７…エレベーター用かご内操作盤、  ７ａ…操作盤カバー、  ８…スイッチボックスカバー、  ９…カバーロック、  ９ａ…ラッチ、  ９ｂ…フック、  １０…ラッチ受け、  １１…スイッチ基板、  １１ａ…スイッチ、  １１ｂ…コネクタ、  １１ｃ…配線、  １２…スイッチプレート、  １２ａ…スライド軸、  １２ｂ…ロック穴、  １３…スライドプレート、  １３ａ…ガイド、  １４，１５…ヒンジ、  ２０…圧縮バネ  １００…エレベーター装置
【図１】
2014084186.tif 000003
【図２】
2014084186.tif 000004
【図３】
2014084186.tif 000005
【図４】
2014084186.tif 000006
【図５】
2014084186.tif 000007
【図６】
2014084186.tif 000008
【図７】
2014084186.tif 000009
【図８】
2014084186.tif 000010
【図９】
2014084186.tif 000011
【図１０】
2014084186.tif 000012